(57)【要約】【課題】  折畳戸の下部ガイドレールをデッキ床面に埋込状に配置したデッキ床面上のサンルームを提供する。【解決手段】  規格デッキ材２２を室外側でデッキ構造材２１，２３にそれぞれ載置固定して室内外で異高としたデッキ床面Ｂを形成し，該デッキ床面Ｂの室内外区分位置に室外側に折畳む折畳戸の開閉用に室外側に戸体突出の段差部１２を備えた異高の下部ガイドレール１１をデッキ構造材２１上に載置固定して該下部ガイドレール１１を埋込配置する一方，モジュール寸法と規格デッキ材２２合計配置幅との差幅部位２５を該下部ガイドレール１１の室内外に配置し，デッキ構造材２１又は２７にスペーサー２８を介してデッキプレート材２６を載置固定することによって該差幅部位２５をデッキプレート材２６によってデッキ床面Ｂと面一とする。ユニバーサルデザインのサンルームとし得る。【選択図】  図２
2007239212.tif 000002
【特許請求の範囲】
【請求項１】
デッキ構造材上に多数の規格デッキ材を並列配置して形成した室内外のデッキ床面と，該デッキ床面の室内外区分位置に該規格デッキ材と平行にデッキ構造材上に配置した折畳戸，引戸等建具の下部開閉案内用にしてデッキ床面間埋込配置の下部ガイドレールと，該下部ガイドレールの室内側及び／又は室外側に位置するように配置した上記デッキ床面のモジュール寸法による幅と規格デッキ材並列配置合計幅との差幅部位又はこれに端部側の規格デッキ材幅を加えて拡大した拡大差幅部位においてデッキ床面と同一面をなすようにデッキ構造材上にスペーサーを介して配置したデッキプレート材とを備えてなることを特徴とする屋外構築物のデッキ床構造。
【請求項２】
上記建具を室外側に蛇腹状乃至重畳状に折畳み自在とした折畳戸とし，上記下部ガイドレールをその室外側に折畳戸の折畳み用段差部を配置した室内外異高断面形状の溝レールとするとともに上記デッキ床面及び上記差幅部又は拡大差幅部のデッキプレートを該室内外異高の溝レールに合せてそれぞれ異高配置してなることを特徴とする請求項１に記載の屋外構築物のデッキ床構造。
【請求項３】
上記デッキプレート材を，上記規格デッキ材と同質材料又は異質材料による同一色調乃至同一デザインとしてなることを特徴とする請求項１又は２に記載の屋外構築物のデッキ床構造。
【発明の詳細な説明】
【技術分野】
【０００１】
本発明は，デッキ床面上にサンルーム等の屋外構築物を設置するに好適に実施できる屋外構築物のデッキ床構造に関する。
【背景技術】
【０００２】
建物の開口部から屋外に向けてデッキ床面を形成するとともに該デッキ床面に建物の開口部に接続するようにサンルーム等の屋外構築物を構築形成し，該サンルームに折畳戸等の建具を配置して該屋外構築物からデッキ床面上への出入りを可能としたものが知られており，この場合，一般に大引等のデッキ構造材上に多数の規格デッキ材を並列配置することによって室内外のデッキ床面を形成する一方，該デッキ床面上に載置固定することによって上記建具の下部開閉案内用の下部ガイドレールをデッキ床面から起立するように配置するものとされている。
【０００３】
【特許文献１】特開平３−８７４８９号公報
【発明の開示】
【発明が解決しようとする課題】
【０００４】
この場合屋外構築物の上方に設置された上部ガイドレールと対をなす下部ガイドレールによって建具の開閉をなし得ることによって屋外構築物の室内側から室外側のデッキ床面に出入りすることができ，屋外構築物の使い勝手が向上するが，しかし乍ら下部ガイドレールは，これをデッキ床面上に載置固定して配置するために該下部ガイドレールがデッキ床面から，例えば数ｃｍ程度突出することになるために，足を取られて人が躓き転倒する可能性を残すとともに車椅子を用いた出入りにあっては車椅子が容易に下部ガイドレールを超えられないといった車椅子障害となる可能性を残しており，住宅にユニバーサルデザインが採用される中で，住宅一般と同様に，下部ガイドレールが起立しても，その起立高さを，ユニバーサルデザインの基準とされる２０ｍｍ乃至それ以下の高さに抑制することによってこれらを解消することが望まれる。
【０００５】
本発明はかかる事情に鑑みてなされたもので，その解決課題とするところは，該デッキ床面上に構築形成した屋外構築物の建具を開閉する下部ガイドレールがデッキ床面から突出するのを防止し又は突出してもその起立高さを可及的に抑制した屋外構築物の床構造を提供するにある。
【課題を解決するための手段】
【０００６】
上記課題に沿って本発明は，規格デッキ材を用いてデッキ構造材上に該規格デッキ材を並列配置して形成した室内外のデッキ床面間に，該デッキ床面の室内外区分位置に規格デッキ材と平行に建具の下部開閉案内用の下部ガイドレールを埋込配置して該下部ガイドレールがデッキ床面から突出するのを防止し又は突出してもその起立高さを可及的に抑制する一方，一般に該下部ガイドレールの配置位置は屋外構築物が設定したモジュールに従って定まり，規格デッキ材の幅はその業界乃至メーカーの設定幅によることによって，上記デッキ床面のモジュール寸法による幅と規格デッキ材並列配置の合計幅との間に差幅が生じるところ，例えば室内側の規格デッキ材をその中央部から，室外側の規格デッキ材をその端部側から並列配置する等して，該差幅を上記下部ガイドレール側に配置することによって該ガイドレールに隣接する差幅部位，例えば該差幅部位が狭小幅となるときは規格デッキ材の配置を除外して少数の規格デッキ材幅を加えてこれを拡大した拡大差幅部位を形成し，該部位を規格デッキ材非配置として該部位にスペーサーを介してデッキプレート材を配置して室内側及び／又は室外側の規格デッキ材と面一に下部ガイドレール近傍の床面を形成するようにし，これにより幅厚にして中空部を有する規格デッキ材を切断狭小幅とする煩雑な現場作業を解消するとともに規格デッキ材をその中空部位置で切断した規格デッキ材を使用することによる床面強度の低下を解消し，埋込配置した下部ガイドレール近傍を外観及び強度に優れた好ましい納まり形態としたものであって，即ち請求項１に記載の発明を，デッキ構造材上に多数の規格デッキ材を並列配置して形成した室内外のデッキ床面と，該デッキ床面の室内外区分位置に該規格デッキ材と平行にデッキ構造材上に配置した折畳戸，引戸等建具の下部開閉案内用にしてデッキ床面間埋込配置の下部ガイドレールと，該下部ガイドレールの室内側及び／又は室外側に位置するように配置した上記デッキ床面のモジュール寸法による幅と規格デッキ材並列配置の合計幅との差幅部位又はこれに端部側の規格デッキ材幅を加えて拡大した拡大差幅部位においてデッキ床面と同一面をなすようにデッキ構造材上にスペーサーを介して配置したデッキプレート材とを備えてなることを特徴とする屋外構築物のデッキ床構造としたものである。
【０００７】
請求項２に記載の発明は，上記に加えて，建具を屋外構築物に適した可及的に開口を全開できるようにした蛇腹状乃至重畳状に室外側に折畳み自在とした折畳戸とすることによって，下部ガイドレールには，例えば戸体下端のガイドローラーを維持案内しつつ隣接する戸体乃至該戸体片側を室外側に突出する折畳み用段差部を形成することになるため，該下部ガイドレールを室内外異高断面形状の溝レールとする必要が生じるところ，この場合室内外のデッキ床面を該溝レールの異高に合せて異高配置するようにして，該下部ガイドレールを挟んで室内側及び室外側の各デッキ床面をそれぞれ面一とする好ましい納まり形態とし得るように，これを，上記建具を室外側に蛇腹状に折畳み自在とした折畳戸とし，上記下部ガイドレールをその室外側に折畳戸の折畳み用段差部を配置した室内外異高断面形状の溝レールとするとともに上記デッキ床面及び上記差幅部又は拡大差幅部のデッキプレートを該室内外異高の溝レールに合せてそれぞれ異高配置してなることを特徴とする請求項１に記載の屋外構築物のデッキ床構造としたものである。
【０００８】
請求項３に記載の発明は，同じく上記に加えて，下部ガイドレール近傍の差幅部位乃至拡大差幅部位に規格デッキ材と面一に配置するデッキプレート材を用いることにより，該差幅部位乃至拡大差幅部位のデッキプレート材が違和感を与えることなく，規格デッキ材と調和したものとし得るように，これを，上記デッキプレート材を，上記規格デッキ材と同質材料又は異質材料による同一色調乃至同一デザインとしてなることを特徴とする請求項１又は２に記載の屋外構築物のデッキ床構造としたものである。
【０００９】
本発明はこれらをそれぞれ発明の要旨として上記課題解決の手段としたものである。
【発明の効果】
【００１０】
本発明は以上のとおりに構成したから，請求項１に記載の発明は，規格デッキ材を用いてデッキ構造材上に該規格デッキ材を並列配置して形成した室内外のデッキ床面間に，該デッキ床面の室内外区分位置に規格デッキ材と平行に建具の下部開閉案内用の下部ガイドレールを埋込配置して該下部ガイドレールがデッキ床面から突出するのを防止し又は突出してもその起立高さを可及的に抑制する一方，上記デッキ床面のモジュール寸法による幅と規格デッキ材並列配置の合計幅との間に生じる差幅部位乃至これを拡大した拡大差幅部位を該下部ガイドレール側に配置し，該部位を規格デッキ材非配置として該部位にスペーサーを介してデッキプレート材を配置して室内側及び／又は室外側の規格デッキ材と面一に下部ガイドレール近傍の床面を形成することにより，幅厚にして中空部を有する規格デッキ材を切断狭小幅とする煩雑な現場作業を解消するとともに規格デッキ材をその中空部位置で切断した規格デッキ材を使用することによる床面強度の低下を解消し，埋込配置した下部ガイドレール近傍を外観及び強度に優れた好ましい納まり形態とした屋外構築物のデッキ床構造を提供することができる。
【００１１】
請求項２に記載の発明は，上記に加えて，建具を屋外構築物に適した可及的に開口を全開できるようにした蛇腹状乃至重畳状に室外側に折畳み自在とした折畳戸とすることによって，下部ガイドレールを室内外異高断面形状の溝レールとする必要が生じるところ，室内外のデッキ床面を該溝レールの異高に合せて異高配置するようにして，該下部ガイドレールを挟んで室内側及び室外側の各デッキ床面をそれぞれ面一とする好ましい納まり形態とすることができる。
【００１２】
請求項３に記載の発明は，同じく上記に加えて，下部ガイドレール近傍の差幅部位乃至拡大差幅部位に規格デッキ材と面一に配置するデッキプレート材を用いることにより，該差幅部位乃至拡大差幅部位のデッキプレート材が違和感を与えることなく，規格デッキ材と調和したものとすることができる。
【発明を実施するための最良の形態】
【００１３】
以下図面の例に従って本発明を更に具体的に説明すれば，Ａは，デッキ床面Ｂ上に配置し且つ開閉自在の室内外出入用の折畳戸，引戸等の建具を具備した，例えばサンルームの屋外構築物であり，該屋外構築物Ａは，四隅の支柱１と，該四隅の支柱１の上方に配置した垂木掛３，垂木４，桁５，中骨６及び屋根パネル７によって形成した片流れ屋根２と，両側面において垂木４下位に配置した換気用の内倒し窓８及び該内倒し窓８下位の支柱１間上方に固定した上部ガイドレール１０及び支柱１間下端に固定した下部ガイドレール１１の案内によってそれぞれ開閉自在とした上記建具としての，本例にあって折畳戸９と，正面において上記桁５と平行に支柱１間下端にしてデッキ床面Ｂ上に固定したベース枠１４に起立固定した多数の中間柱１５，支柱１と中間柱１５間及び各中間柱１５にそれぞれ嵌着固定したガラス又は樹脂製の透明パネルによって形成した嵌め殺し部１３とを備えた，例えば上記支柱１，垂木掛３，垂木４，桁５，中間柱１４，ベース枠１４等の構造材をアルミ押出形材によって形成したアルミ製のものとしてある。
【００１４】
以下図面の例に従って本発明を更に具体的に説明すれば，Ａは，デッキ床面Ｂ上に配置し且つ開閉自在の室内外出入用の折畳戸，引戸等の建具を具備した，例えばサンルームの屋外構築物であり，該屋外構築物Ａは，四隅の支柱１と，該四隅の支柱１の上方に配置した垂木掛３，垂木４，桁５，中骨６及び屋根パネル７によって形成した片流れ屋根２と，両側面において垂木４下位に配置した換気用の内倒し窓８及び該内倒し窓８下位の支柱１間上方に固定した上部ガイドレール１０及び支柱１間下端に固定した下部ガイドレール１１の案内によってそれぞれ開閉自在とした上記建具としての，本例にあって折畳戸９と，正面において上記桁５と平行に支柱１間下端にしてデッキ床面Ｂ上に固定したベース枠１４に起立固定した多数の中間柱１５，支柱１と中間柱１５間及び各中間柱１５にそれぞれ嵌着固定したガラス又は樹脂製の透明パネルによって形成した嵌め殺し部１３とを備えた，例えば上記支柱１，垂木掛３，垂木４，桁５，中間柱１４，ベース枠１４等の構造材をアルミ押出形材によって形成したアルミ製のものとしてある。
【００１５】
デッキ床面Ｂは，デッキ構造材２１上に多数の規格デッキ材２２を並列配置して形成した室内外のものとしてあり，上記下部ガイドレール１１は，該デッキ床面Ｂの室内外区分位置に該規格デッキ材２２と平行にデッキ構造材２１上に配置した折畳戸９の下部開閉案内用にしてデッキ床面Ｂ間埋込配置のものとしてあり，該下部ガイドレール１１の室内側及び／又は室外側，本例にあってはその双方に位置するように配置した上記デッキ床面Ｂのモジュール寸法による幅と規格デッキ材２２並列配置合計幅との差幅部位又はこれに端部側の規格デッキ材幅を加えて拡大した拡大差幅部位２５においてデッキ床面Ｂと同一面をなすようにデッキプレート材２６をデッキ構造材２２上にスペーサー２８を介して配置してあり，このとき本例にあって上記下部ガイドレール１１を異高断面形状の溝レールとしたことに伴って，該下部ガイドレール１１を挟んで室内側及び室外側の各デッキ床面Ｂをそれぞれ面一とする好ましい納まり形態とするように，上記デッキ床面Ｂ及び上記拡大差幅部位２５のデッキプレート材２６は，これを該室内外異高の溝レールに合せてそれぞれ異高配置したものとしてある。
【００１６】
即ち本例にあって上記デッキ床面Ｂは，例えば該下部ガイドレール１１を配置した状態で，デッキ構造材，例えば束柱上に載置固定した大引２１上に，建物側から正面の嵌め殺し部１３側に向けて規格デッキ材２２を並列配置することによって図示省略の建物開口部からこれに連続して室内側に形成するとともに室外側で上記屋外構築物Ａをコ字状に囲繞するように側面の折畳戸９位置から室外側に向けて突出して配置するとともに上記嵌め殺し部１３の室外側に至るように形成してあり，該折畳戸９を開閉案内する上記側面の下部ガイドレール１１は，該デッキ床面Ｂの室内外を区分する位置にそれぞれ規格デッキ材２２に平行にして該デッキ床面Ｂに下部を埋込み状としてデッキ構造材，本例にあっては上記大引２１及びこれに架設した架設枠２７上に直接に載置し，これら大引乃至架設枠２７に対して溝レールの底面を所定間隔にネジ止めすることによってその載置固定を行ってある。
【００１７】
このとき本例にあってデッキ構造材，即ち大引２１上への規格デッキ材２２の並列配置は，その室内側において該大引２１上に規格デッキ材２２のスペーサーをなす台枠２４を配置して該台枠２４を介してその並列配置を行う一方，室外側において該大引２１上に直接に載置してその並列配置を行ってあり，例えば上記台枠２４は，これを該大引２１上に載置固定した，その高さを２０ｍｍとする長尺中空のアルミ押出材製とすることによって，上記室内外におけるデッキ床面Ｂの異高配置を上記下部ガイドレール１１の折畳み段差部１２の２０ｍｍの高さに合せるとともに該規格デッキ材２２が下部ガイドレール１１の上端とそれぞれ同一高さになるようにしてあり，このとき室内外のデッキ床面Ｂを異高配置した結果，室内側に対して室外側のデッキ床面Ｂを下部ガイドレール１１の折畳み用段差部１２の高さ分，本例にあっては２０ｍｍ下位とすることにより該室外側のデッキ床面Ｂが折畳戸９の開閉に際して室外側への戸体の突出を可能としてある。
【００１８】
本例の屋外構築物Ａ及びそのデッキ床面Ｂはモジュール寸法を，例えば９４０ｍｍとして設定し，該モジュール寸法に基づいてデッキ床面Ｂを形成するとともに屋外構築物Ａを構築形成したものとしてある一方，規格デッキ材２２は，例えば上下の基板を４本の垂直片で接合して上下の基板間に３つの中空部を配置した，例えば高さ４３ｍｍ，幅１７５ｍｍの長尺合成樹脂製のものを，所定長さに切断して用いてあり，該規格デッキ材２２は，その下位の基板端部間に固定金具２３を跨り配置し，隣接する規格デッキ材２２の連結状態でデッキ構造材，本例にあっては大引２１又はこれに設置した台枠２４上に載置して該固定金具２３をネジ固定することよって，例えば各隣接する規格デッキ材２２間に５ｍｍ程度のスリット状の空隙を配置してその並列配置を行ってある。このためデッキ床面Ｂに規格デッキ材２２を並列配置すると，モジュール寸法と規格デッキ材並列配置合計幅との間には規格デッキ材２２の幅以下の差幅が生じることを避けられず，デッキ床面Ｂには該差幅分の処理を行う必要が生じるところ，規格デッキ材２２の並列配置を，例えば室内側にあっては中央位置から，室外側にあっては端部側から行うことによって，本例にあっては該差幅を上記両側の下部ガイドレール１１側に配置してあり，これによって生じる該差幅部位２５は，これに規格デッキ材２２を非配置とするとともに該差幅部位２５に，例えば現場切断することによって該差幅部位２５と同幅程度に形成したデッキプレート材２６を配置してその処理を行ったものとしてある。
【００１９】
このとき上記差幅部位２５が狭小幅，例えば数ｃｍ以下の狭小幅となると，これに合せたデッキプレート材２５を必要とし，そのデッキプレート材２５を，例えば現場で切断する煩雑さを招くから，本例にあってはモジュール寸法と規格デッキ材並列配置合計幅の差幅を拡大するように，少数，例えば１〜２本程度の規格デッキ材２２の配置を除外して，該規格デッキ材幅を加えた拡大差幅として両側面の下部ガイドレール１１側にそれぞれ作業性を良好に確保し得る程度の拡大差幅部位２５を配置し，該拡大差幅部位２５に上記デッキプレート材２６の配置を行ったものとしてある。
【００２０】
本例にあって屋外構築物Ａの両側面に配置した拡大差幅部２５は，それぞれ下部ガイドレール１１の室内側において，例えば約１４ｃｍ幅，室外側において約７ｃｍ幅として，両側面において上記規格デッキ材２２の２．５倍弱のものとして，１／２程度の差幅に２本の規格デッキ材２２を加えて，各側面において該規格デッキ材２２の１．数倍幅として，例えば該規格デッキ材幅の追加，即ちデッキ床面Ｂからの除外を行うことなく差幅部２５を形成したときこれが両側面室内外合計で規格デッキ材の１／２程度，一方側面で１／４程度，即ち下部ガイドレール１１を挟んで両側で４ｃｍ程度の狭小幅となって各差幅部２５の処理が煩雑化するのを防止してある。
【００２１】
デッキプレート材２６は，これを，上記規格デッキ材２２と同質材料又は異質材料による同一色調乃至同一デザインとしてあり，本例にあっては規格デッキ材２２と同質の，例えば            樹脂製にして同一色調の，例えばダークブラウン色としてあり，本例にあって該デッキプレート材２６は厚肉中実板状のものとして，例えばその厚さを１５ｍｍとしたものとしてある。
【００２２】
上記拡大差幅部位２５の処理としての該デッキプレート材２６の配置は，上記規格デッキ材２６を並列配置したデッキ構造材，即ち本例にあって大引２１又はこれに架設した架設材２７上にスペーサー２８を載置固定し，該スペーサー２８上にデッキプレート材２６を更に載置固定することによって，それぞれ上記異高配置した室内側及び室外側のデッキ床面Ｂと同一面をなすように行ってあり，このとき室内側に用いた上記スペーサー２８は，これを，規格デッキ材２２の厚さ４３ｍｍからデッキプレート材２６の厚さ１５ｍｍをマイナスした，例えば２８ｍｍとすることによって該室内側及び室外側の各デッキプレート材２６が，それぞれ室内側及び室外側の規格デッキ材２２と平坦にして面一に配置することによって室内外それぞれ下部ガイドレール１１を挟んで面一のデッキ床面Ｂを形成するようにしてある。
【００２３】
本例にあって該スペーサー２８は，デッキ構造，上記大引２１に架設した架設材２７上に載置してネジ止めした長尺ベース２９と該長尺ベース２９にスナップイン係止又はスライド装着，本例にあってはスナップイン係止するコ字状長尺のスペーサー本体３０とを備え，その装着状態で，上記台枠２４と同様に長尺中空をなす割形のアルミ押出材製としてあり，これによってデッキ構造材２２に対するスペーサー２８の設置を，長尺ベース２９をデッキ構造材の架設材２７に載置してネジ止めし，該長尺ベース２９に対してスペーサー本体３０を下向きにして上方から下方に押圧することによってスペーサー本体３０をスナップイン係止してスペーサー２８とし，該スペーサー２８にデッキプレート材２６を載置して同じくネジ止めして固定することによって差幅部位２５，本例にあっては拡大差幅部位の処理を行うようにしてあり，従って該差幅部位２５の処理を作業性よく容易になし得るものとしてある。
【００２４】
従って本例のデッキ床面は，これを室内外で区分する下部ガイドレール１１によって上記２０ｍｍの段差を生じるも，住宅一般において２０ｍｍの段差はユニバーサルデザインの許容段差とされるから，屋外構築物Ａとデッキ床面Ｂ間にユニバーサルデザインを採用したものとすることができ，従来のデッキ床面Ｂ上に下部ガイドレール１１を設置して数ｃｍの高さに突出することによる人の躓き転倒の可能性や車椅子が下部ガイドレール１１を超えられないといった車椅子障害を可及的に解消し，屋外構築物Ａの折畳戸９から室外側のデッキ床面Ｂに容易に出入りできるようにして，歩行障害の有無に拘らず幅広い年齢層にアウトドアの生活環境を提供することができる。また屋外構築物Ａ，即ちデッキ床面Ｂのモジュール寸法と規格デッキ材並列配置合計幅との間に生じる差幅部位２５を下部ガイドレール１１側に配置するとともに該差幅部位２５に規格デッキ材２２と面一にして該規格デッキ材２２と同質材料にして同室色調のデッキプレート材２６を配置して室内外の各デッキ床面Ｂを形成したから該差幅部位２５が違和感なく処理されて外観を良好に確保したものとなり，また下部ガイドレール１１側の差幅部位２５におけるデッキプレート材２６をスペーサー２８を介してデッキ構造材２２上に配置してその処理を行う一方，該差幅部位２５を少数，例えば２本の規格デッキ材２２の幅分を加えた拡大差幅部位としたことによって，上記デッキプレート材２６の現場切断を，狭小幅にすぎずに切断に適した程度の幅に行って，これを上記スペーサー２８に載置固定すればよいから，差幅部の処理が容易になし得て良好な作業性を確保したものとすることができる。
【００２５】
なお本例にあってデッキ床面Ｂの形成は，先ず下部ガイドレール１１をデッキ構造材上に配置し，その後に，室内側及び室外側に規格デッキ材２２を配置し，上記下部ガイドレール１１の室内側及び室外側に配置した差幅部位にデッキプレート材２６を配置する手順によって行うのがよく，また屋外構築物Ａの構築形成は，該デッキ床面Ｂの形成後にこれを行うようにするのがよい。
【００２６】
図示した例は以上のとおりとしたが，建具を折畳戸とするとともに該折畳戸を重畳的に開閉するものとして，その下部ガイドレールを同様に折畳み用段差部を配置した溝レールを用いるようにすること，建具を引戸とし，その下部ガイドレールを室内外で段差のない溝レール又は突出レールを用いるともに該溝レール又は突出レールをデッキ床面間に上方突出することなく埋込配置するようにすること，建具を屋外構築物の正面に配置し，室外側のデッキ床面を該正面に配置すること，差幅部位を，ある程度の幅を得られる場合を含めて，規格デッキ材幅を加えて拡大することなく，これに同様にスペーサーを介してデッキプレート材を配置すること，建具を側面に配置するとき，その一方の側面にこれを配置し他方の側面を嵌め殺し部とすること，規格デッキ材及びデッキプレート材を，例えば木製のものとすること，デッキプレート材を，例えば木目デザインとした規格デッキ材と同一デザインとすること，逆にデッキプレート材を，デッキ床面におけるアクセントを兼ねるように異質材料，異質色調乃至異質デザインによって形成すること等を含めて，本発明の実施に当って，屋外構築物，その建具，デッキ構造材，デッキ床面，規格デッキ材，下部ガイドレール，差幅部位又は拡大差幅部位，スペーサー，デッキプレート材，必要に応じて用いる折畳戸，溝レール等の各具体的形状，構造，材質，これらの関係，これらに対する付加等は，上記発明の要旨に反しない限り様々な形態のものとすることができる。
【図面の簡単な説明】
【００２７】
【図１】屋外構築物の斜視図である。
【図２】デッキ床面における下部ガイドレール近傍のデッキプレート材配置状態を示す平面図である。
【図３】室内外のデッキ床面の配置状態を示す屋外構築物左右方向の縦断面図である。
【図４】図３の部分拡大縦断面図である。
【図５】室内外のデッキ床面の配置状態を示す屋外構築物前後方向の縦断面図である。
【符号の説明】
【００２８】
Ａ  屋外構築物
Ｂ  デッキ床面
１  支柱
２  片流れ屋根
３  垂木掛
４  垂木
５  桁
６  中骨
７  屋根パネル
８  内倒し窓
９  建具（折畳戸）
１０  上部ガイドレール
１１  下部ガイドレール
１２  折畳み用段差部
１３  嵌め殺し部
１４  ベース枠
１５  中間柱
２０  束柱
２１  デッキ構造材（大引）
２３  固定金具
２４  台枠
２５  拡大差幅部位
２６  デッキプレート材
２７  架設材
２８  スペーサー
２９  長尺ベース
３０  スペーサー本体
【図１】
2007239212.tif 000003
【図２】
2007239212.tif 000004
【図３】
2007239212.tif 000005
【図４】
2007239212.tif 000006
【図５】
2007239212.tif 000007